(57)【要約】【課題】環状殻部材が受ける衝撃による影響を軽減することができる上部反転ヘルメットを提供する。【解決手段】着用者の頭部の上部を覆う硬質のドーム状殻部材２と、着用者の頭部の側部全周を覆う硬質の環状殻部材３とを備え、ドーム状殻部材２が、環状殻部材３に枢軸４を介して反転自在に連結された上部反転ヘルメットにおいて、環状殻部材３の上縁部に沿って縁取り部６を設けた。【選択図】図１
2018053383.tif 000002
【特許請求の範囲】
【請求項１】
着用者の頭部の上部を覆う硬質のドーム状殻部材と、着用者の頭部の側部全周を覆う硬質の環状殻部材とを備え、前記ドーム状殻部材が、前記環状殻部材に枢軸を介して反転自在に連結された上部反転ヘルメットにおいて、
前記環状殻部材の上縁部に沿って縁取り部が設けられていることを特徴とする上部反転ヘルメット。
【請求項２】
前記縁取り部は、前記環状殻部材の上縁部を補強する補強材により形成されていることを特徴とする請求項１記載の上部反転ヘルメット。
【請求項３】
前記縁取り部は、前記環状殻部材の上縁部に受けた衝撃を緩和する緩衝材により形成されていることを特徴とする請求項１記載の上部反転ヘルメット。
【請求項４】
前記縁取り部は、前記環状殻部材の裏面側に設けられていることを特徴する請求項１〜３の何れか１項記載の上部反転ヘルメット。
【請求項５】
前記環状殻部材は、その内側に衝撃吸収ライナを備え、
前記縁取り部は、前記衝撃吸収ライナにおける前記環状殻部材の上縁部に対応する位置に形成されていることを特徴とする請求項４記載の上部反転ヘルメット。
【発明の詳細な説明】
【技術分野】
【０００１】
本発明は、環状の環状殻部材と、環状殻部材の上部で反転可能なドーム状殻部材とを備える上部反転ヘルメットに関する。
【背景技術】
【０００２】
一般に、ヘルメットが備える殻体は、着用者の頭部を保護するために硬質材料で形成されている。このため、ヘルメットを持ち運ぶときには非常に嵩張り、また、不使用時のヘルメットを保管する場合にも広い保管スペースが必要となる不都合があった。
【０００３】
そこで、本出願人は、先に、殻体をドーム状殻部材と環状殻部材とで構成し、ドーム状殻部材を環状殻部材に対して反転させて環状殻部材の内側に収容することができる上部回転ヘルメットを提案した（下記特許文献１参照）。
【先行技術文献】
【特許文献】
【０００４】
【特許文献１】特開２０１５−１３２０３２号公報
【発明の概要】
【発明が解決しようとする課題】
【０００５】
上記特許文献１の上部回転ヘルメットにおいては、環状殻部材は、ドーム状殻部材を反転可能に支持すると共にドーム状殻部材を収容可能とするために、ドーム状殻部材の外径より大きく形成される。
【０００６】
このため、着用状態では（即ちドーム状殻部材が非反転姿勢のとき）、環状殻部材の上縁部に段差が生じ、段部の外周には角部が形成される。そして、この角部に衝撃を受けた場合には、平坦な面で衝撃を受けた場合に比べて比較的狭い領域に衝撃が集中するおそれがある。
【０００７】
上記の点に鑑み、本発明は、環状殻部材が受ける衝撃による影響を軽減することができる上部反転ヘルメットを提供することを目的とする。
【課題を解決するための手段】
【０００８】
かかる目的を達成するために、本発明は、着用者の頭部の上部を覆う硬質のドーム状殻部材と、着用者の頭部の側部全周を覆う硬質の環状殻部材とを備え、前記ドーム状殻部材が、前記環状殻部材に枢軸を介して反転自在に連結された上部反転ヘルメットにおいて、前記環状殻部材の上縁部に沿って縁取り部が設けられていることを特徴とする。
【０００９】
縁取り部を環状殻部材の上縁部に設けることにより、環状殻部材に、補強や緩衝のための機能を容易に付与することができる。しかも、縁取り部に用いる材料を適宜選定することにより、補強や緩衝に限らず、例えば光が強く反射する材料を縁取り部に用いて着用者の存在を目立たせる等、所望の機能を環状殻部材に持たせることができる。
【００１０】
縁取り部は、環状殻部材と一体で（同一の材料で）、他部より厚みを増加させてもよく、縁取り部を環状殻部材と異なる材料で形成してもよい。縁取り部を環状殻部材と異なる材料で形成する場合には、インサート成形等により環状殻部材に一体に設けもよく、或いは、縁取り部を、環状殻部材とは個別に形成して環状殻部材に取り付けてもよい。
【００１１】
そして、本発明の好ましい構成として、前記縁取り部を、前記環状殻部材の上縁部を補強する補強材により形成する、或いは、前記環状殻部材の上縁部に受けた衝撃を緩和する緩衝材により形成することが挙げられる。
【００１２】
また、前記縁取り部は、前記環状殻部材の表側に設けて露出状態とすることも考えられるが、補強や緩衝の効果を得る場合には、前記環状殻部材の裏面側に設けられていてもよい。
【００１３】
このとき、前記環状殻部材の内側に衝撃吸収ライナを備えている場合には、衝撃吸収ライナに縁取り部を設けてもよい。即ち、前記縁取り部は、前記衝撃吸収ライナにおける前記環状殻部材の上縁部に対応する位置に形成されていてもよい。
【図面の簡単な説明】
【００１４】
【図１】本発明の実施形態の上部反転ヘルメットの説明的側面図。
【図２】本実施形態においてドーム状殻部材が非反転姿勢の殻体の側面断面図。
【図３】本実施形態においてドーム状殻部材が非反転姿勢の殻体の正面断面図。
【図４】本実施形態においてドーム状殻部材が反転姿勢の殻体の側面断面図。
【図５】本実施形態において内部に衝撃吸収ライナを取り付けた状態の殻体の側面断面図。
【発明を実施するための形態】
【００１５】
本発明の一実施形態を図面に基づいて説明する。図１に示すように、本実施形態の上部反転ヘルメットは、硬質合成樹脂材料からなる殻体１を備え、自転車用ヘルメットとして好適に用いることができるものである。なお、殻体１の内部にはハンモック、ヘッドバンド、顎紐等の着装体（図示しない）や後述の衝撃吸収ライナ１４，１５（図５参照）等を設けることができるようになっている。
【００１６】
図１及び図２に示すように、殻体１は、ドーム状殻部材２と環状殻部材３との２つの部材で構成されている。ドーム状殻部材２は着用者の頭部の上部をドーム状に覆う形状に形成され、環状殻部材３はドーム状殻部材２の下部に位置して着用者の頭部の側部全周を覆う形状に形成されている。
【００１７】
また、ドーム状殻部材２は、枢軸４を介して環状殻部材３の上部に連結されている。枢軸４は、図３に示すように、ドーム状殻部材２の左右に対向する位置で同一軸線上に設けられている。枢軸４は、ドーム状殻部材２の外面に突設されているが、環状殻部材３の凹部に収容されており、この凹部は通常は図示しない蓋部材により覆われている。
【００１８】
図１及び図２に示すように、環状殻部材３には、枢軸４の軸受となる軸孔５が形成されている。この軸孔５は前後方向に向かって延びる長孔状に形成されており、軸孔５の長手方向に沿った案内により、枢軸４が前後方向に移動可能とされている。
【００１９】
枢軸４によって、ドーム状殻部材２と環状殻部材３とは分離不能とされると共に、ドーム状殻部材２は、枢軸４回りに回動自在とされている。そして、図４に示すように、ドーム状殻部材２は、枢軸４回りに回動させることにより、環状殻部材３に対して反転姿勢とすることができる。ドーム状殻部材２の状態について、以下の説明においては、環状殻部材３の上方に露出して着用可能となる状態を非反転姿勢（図１〜図３の状態）と言い、環状殻部材３に対して反転させたことにより環状殻部材３の内部に収容された状態を反転姿勢（図４の状態）と言う。
【００２０】
上記のように、環状殻部材３は、反転姿勢のドーム状殻部材２が収容可能となる大きさに形成されている。このため、図３に示すように、環状殻部材３の上縁部には、ドーム状殻部材２との大きさの違いによる段差が形成される。そして、図１〜図３に示すように、このような段差を形成する環状殻部材３の上縁部に沿って、縁取り部６が取り付けられている。
【００２１】
また、図２に示すように、環状殻部材３の前側の上端部には環状殻部材３の内側に向かって突出する前側突部７が形成されている。環状殻部材３の後側にはロック手段８が設けられている。
【００２２】
ロック手段８は、ドーム状殻部材２の後方下縁に設けられた係止穴９と、環状殻部材３の後側に設けられた係止部材１０とによって構成されている。係止部材１０は、環状殻部材３に搖動軸１１を介して搖動自在に取り付けられ、係止穴９に係止する係止爪１２と、係止部材１０の搖動操作を行うための指掛け部１３とを備えている。更に、係止部材１０は、図示しない付勢手段により、係止爪１２が係止穴９に係止する方向に付勢されている。
【００２３】
ドーム状殻部材２が非反転姿勢のとき、ドーム状殻部材２の前側下縁が環状殻部材３の前側突部７の上面に当接した状態で、ロック手段８の係止爪１２がドーム状殻部材２の係止穴９に係止する。これにより、ドーム状殻部材２の非反転姿勢が維持されて、着用可能な状態となる。
【００２４】
この状態から、指掛け部１３を外側に引っ張り、係止部材１０を搖動させると、係止部材１０の係止爪１２が係止穴９から離脱してドーム状殻部材２の環状殻部材３に対するロック状態が解除される。そして、ロック手段８によるロック状態を解除した後に、図４に示すように、ドーム状殻部材２を反転させると、ドーム状殻部材２が環状殻部材３の内側に収容される。ドーム状殻部材２を反転させた後には、ドーム状殻部材２の前側（反転により環状殻部材３の後側に位置する）の係止穴９´にロック手段８の係止爪１２が係合し、これによって、環状殻部材３の内側にドーム状殻部材２が収容された状態が維持される。
【００２５】
前述したように、環状殻部材３は、反転させたドーム状殻部材２を収容することにより、ドーム状殻部材２よりも大きく形成され、これによって、環状殻部材３の上縁部には段差が生じる。万一の着用者の転倒時等には、この段差の角部に衝撃を受けることが考えられる。そこで、図１及び図３に示すように、環状殻部材３の上縁部に沿って、縁取り部６が取り付けられている。
【００２６】
環状殻部材３の上縁部に、縁取り部６が設けられているので、環状殻部材３の上縁部が補強され、更に、緩衝作用も得ることができる。即ち、縁取り部６は、環状殻部材３の上縁部の外側の角部を覆うことにより、環状殻部材３の上縁部を保護し、環状殻部材３の強度（耐衝撃性や耐久性）を向上させる補強材として作用する。更に、縁取り部６は、緩衝作用が得られる材料で形成することにより緩衝材として作用させることができるので、環状殻部材３の上縁部から着用者に伝達される衝撃を緩和することができる。
【００２７】
縁取り部６は、環状殻部材３の上縁部の全周に連続して設けることにより前後左右の何れの方向からの衝撃に対しても十分な補強効果や緩衝作用が得られる。或いは、図示しないが、所定の長さ寸法の複数の縁取り部を環状殻部材の上縁部に沿って不連続に配設してもよい。このとき、縁取り部を、必要に応じて環状殻部材の上縁部に部分的に設けてもよい。縁取り部を環状殻部材の上縁部に部分的に設ける場合には、例えば、両側の側頭部に沿って延設することが挙げられる。
【００２８】
また、図３に示した縁取り部６を、環状殻部材３の上縁部に対して着脱自在に構成してもよい。これによれば、汚れ等が生じた縁取り部６を、未使用の縁取り部６に交換することができ、外観低下を防止することができる。
【００２９】
また、図示しないが、縁取り部６の少なくとも表面に反射材による被覆を施しておくことも可能である。
【００３０】
また、本実施形態においては、図３に示すように、縁取り部６を、環状殻部材３の上縁部に取り付けた例を示したが、これに限るものではなく、図示しないが、例えば、環状殻部材の成形時に縁取り部をインサート成形等により一体成型してもよい。或いは、環状殻部材の上縁部を他部より肉厚に形成して縁取り部としてもよい。
【００３１】
また、図３に示すように、本実施形態においては、縁取り部６を、環状殻部材３の上縁部の外面側に露出させて設けた例を示したが、これ以外に、図示しないが、環状殻部材の上縁部の内側に縁取り部を設けてもよい。
【００３２】
ところで、図５に示すように、本実施形態の上部反転ヘルメットは、ドーム状殻部材２の内側と環状殻部材３の内側との夫々に衝撃吸収ライナ１４，１５が取り付けられ、これによって高い保護性能を有している。
【００３３】
環状殻部材３の内側の衝撃吸収ライナ１５によって、着用者に伝達される衝撃緩和が十分に得られる場合には、図３に示した縁取り部６を、環状殻部材３よりも硬質の材料で形成して、環状殻部材３の強度を一層向上させることも可能である。
【００３４】
また、本実施形態においては、図３に示すように、環状殻部材３の上縁部に直接的に縁取り部６を設けた例を示したが、本発明における縁取り部は、環状殻部材３の上縁部に沿って設けられていれば、環状殻部材３の上縁部に直接的に設けなくてもよい。即ち、図５に示すように、環状殻部材３の内側に取り付けた衝撃吸収ライナ１５における、環状殻部材３の上縁部に対応する部分に沿って、縁取り部１６を設けることもできる。
【００３５】
縁取り部１６は、環状殻部材３の内側に取り付けた衝撃吸収ライナ１５と異なる材料を適宜選択して採用することができ、例えば、衝撃吸収ライナ１５よりも硬度が高い材料を用いて環状殻部材３の上縁部を補強することができ、或いは、衝撃吸収ライナ１５よりも柔軟性が高い材料を用いて環状殻部材３の上縁部に受けた衝撃を緩和することができる。
【００３６】
更に、図示しないが、縁取り部は、環状殻部材３の表側と裏側の両方に設けてもよい。
【符号の説明】
【００３７】
２…ドーム状殻部材、３…環状殻部材、４…枢軸、６，１６…縁取り部、１５…衝撃吸収ライナ。
【図１】
2018053383.tif 000003
【図２】
2018053383.tif 000004
【図３】
2018053383.tif 000005
【図４】
2018053383.tif 000006
【図５】
2018053383.tif 000007